(57)【要約】【課題】  下水及び上水処理施設またはそれに類する水処理施設の槽開口部に覆蓋を取り付ける装置について、材料精度、及び加工精度が高くなくても、桁材の上部フランジ部に受枠部材を取り付ける現場での作業を簡便に、かつ安全な姿勢で行なうことができ、施工性に優れているうえに、メンテナンスが容易である覆蓋の取付装置を提供する。【解決手段】  処理槽の開口部に所要数の覆蓋支持用桁材1 が渡し止められ、桁材1 の上部フランジ部2 に、横断面略Ｌ形の右側受枠部材21と横断面略反Ｌ形の左側受枠部材11とが相互に連結用垂直壁部12,22同士を対向させた状態に桁材1 の長手方向に沿って載置される。右側受枠部材21の係合部25が桁材1 の上部フランジ部2 の右側縁部2bに、左側受枠部材11の左側係合部15が上部フランジ部2 の縁部2aにそれぞれ係り合わせられている。左右受枠部材11,21の垂直壁部12,22同士が締結部材5,6によって連結せられ、処理槽の開口部を覆う覆蓋10の左右両側縁部が左右受枠部材11,21を介して桁材1 に支持されている。【選択図】    図１
2005112414.tif 000002
【特許請求の範囲】
【請求項１】
処理槽の開口部に所要数の覆蓋支持用桁材(1) が渡し止められ、桁材(1) の上部フランジ部(2) に左右一対の受枠部材(11)(21)が桁材(1) の長手方向に沿って載置され、右側受枠部材(21)は連結用垂直壁部(22)とこれの下縁より右方に張り出した水平壁部(23)とによって横断面略Ｌ形を有し、左側受枠部材(11)はこれとは略対称的で連結用垂直壁部(12)とこれの下縁より左方に張り出した水平壁部(13)とによって横断面略反Ｌ形を有しており、桁材(1) の上部フランジ部(2) に、左右一対の受枠部材(11)(21)が相互に連結用垂直壁部(12)(22)同士を対向させた状態に桁材(1) の長手方向に沿って載置されるとともに、右側受枠部材(21)の右方張出水平壁部(23)の外側縁部に設けられた右側係合部(25)が桁材(1) の上部フランジ部(2) の右側縁部(2b)と係り合わせられ、かつ左側受枠部材(11)の左方張出水平壁部(13)外側縁部に設けられた左側係合部(15)が桁材(1) の上部フランジ部(2) の左側縁部(2a)と係り合わせられ、この状態で、左右受枠部材(11)(21)の連結用垂直壁部(12)(22)同士が締結部材(5)(6)によって連結せられており、処理槽の開口部を覆う覆蓋(10)の左右両側縁部が左右受枠部材(11)(21)を介して桁材(1) に支持されていることを特徴とする、処理槽における覆蓋の取付装置。
【請求項２】
左右受枠部材(11)(21)の連結用垂直壁部(12)(22)のうちのいずれか一方の垂直壁部(22)の上端部に、他方の垂直壁部(12)側に張り出した張出壁部(22a) が設けられ、該張出壁部(22a) の先端部が他方の垂直壁部(12)の上端部に被せられていることを特徴とする、請求項１記載の処理槽における覆蓋の取付装置。
【請求項３】
左右受枠部材(11)(21)の互いに対向する連結用垂直壁部(12)(22)に横断面略Ｕ形の内部カバー部材(30)が被せられ、連結用垂直壁部(12)(22)と内部カバー部材(30)の左右垂下壁部(31)(31)とが締結部材(5)(6)により一体に結合されていることを特徴とする、請求項１記載の処理槽における覆蓋の取付装置。
【請求項４】
内部カバー部材(30)に、さらに外部カバー部材(34)が被せられ、外部カバー部材(34)によって左右受枠部材(11)(21)の連結用垂直壁部(12)(22)と内部カバー部材(30)と締結部材(5)(6)とが覆われていることを特徴とする、請求項３記載の処理槽における覆蓋の取付装置。
【請求項５】
処理槽の開口部に所要数の覆蓋支持用桁材(1) が渡し止められ、桁材(1) の上部フランジ部(2) に左右一対の受枠部材(11)(21)が桁材(1) の長手方向に沿って載置され、右側受枠部材(21)は連結用垂直壁部(22)とこれの下縁より右方に張り出した水平壁部(23)とによって横断面略Ｌ形を有し、左側受枠部材(11)はこれとは略対称的で連結用垂直壁部(12)とこれの下縁より左方に張り出した水平壁部(13)とによって横断面略反Ｌ形を有しており、左右受枠部材(11)(21)の連結用垂直壁部(12)(22)のうちのいずれか一方の垂直壁部(22)の上部に、他方の垂直壁部(12)側に張り出しかつ該垂直壁部(22)の長手方向に伸びる横断面略半円形の第１係合部(26)が設けられ、他方の垂直壁部(12)の外側面に係合用外方凸状(16)が該垂直壁部(12)の長手方向に伸びるように設けられ、左右受枠部材(11)(21)の連結用垂直壁部(12)(22)の上端部に被せ止められる連結部材(40)が、上部水平壁部(41)と、上部水平壁部(41)の一側縁部より下方に伸びかつ内側面に係合用内方凸状(44)を有する垂下壁部(42)と、上部水平壁部(41)の他側縁寄り部分より下方に伸びかつ下半部に上記横断面略半円形の第１係合部(26)の案内面(27)に沿う横断面略円弧状の第２係合部(43a) を有する下向き係合壁部(43)とを備えており、桁材(1) の上部フランジ部(2) に、左右一対の受枠部材(11)(21)が相互に連結用垂直壁部(12)(22)同士を対向させた状態に桁材(1) の長手方向に沿って載置されるとともに、右側受枠部材(21)の右方張出水平壁部(23)の外側縁部に設けられた右側係合部(25)が桁材(1) の上部フランジ部(2) の右側縁部(2b)と係り合わせられ、かつ左側受枠部材(11)の左方張出水平壁部(13)外側縁部に設けられた左側係合部(15)が桁材(1) の上部フランジ部(2) の左側縁部(2a)と係り合わせられ、この状態で、左右受枠部材(11)(21)の連結用垂直壁部(12)(22)に連結部材(40)が嵌め被せられて、連結部材(40)の下向き係合壁部(43)先端部の横断面略円弧状の第２係合部(43a) が、一方の受枠部材(21)の連結用垂直壁部(22)の横断面略半円形の第１係合部(26)に係り合わせられるとともに、連結部材(40)の垂下壁部(42)の係合用内方凸状(44)が、他方の受枠部材(11)の垂直壁部(12)外側面の係合用外方凸状(16)に係り合わせられて、左右受枠部材(11)(21)の連結用垂直壁部(12)(22)同士が連結部材(40)を介して相互に連結されていることを特徴とする、処理槽における覆蓋の取付装置。
【請求項６】
一方の受枠部材(21)の連結用垂直壁部(22)の高さの略中央部に、横断面略半円形の第１係合部(26)に下側より対向する横断面略円弧状の外れ防止用壁部(28)が設けられ、この外れ防止用壁部(28)と第１係合部(26)との間に形成された凹部(29)に連結部材(40)の下向き係合壁部(43)先端部の横断面略円弧状の第２係合部(43a) が嵌め入れられて、第２係合部(43a) が第１係合部(26)に係り合わせられていることを特徴とする、請求項５記載の処理槽における覆蓋の取付装置。
【発明の詳細な説明】
【技術分野】
【０００１】
本発明は、下水及び上水処理施設またはそれに類する水処理施設の槽開口部に覆蓋を取り付ける装置に関するものである。
【背景技術】
【０００２】
一般に、下水及び上水処理施設またはそれに類する水処理施設であって、広い槽開口部には覆蓋が取り付けられている。主に、槽開口部寸法の大きな処理槽に覆蓋を設置する方法としては、従来、桁材（覆蓋支持材）と呼ばれるＩ形鋼を処理槽開口部に所要数渡し止め、これらの桁材の上面にそれぞれ受枠部材を桁材の長手方向に沿って取り付けておき、処理槽開口部の全面を覆うように覆蓋を配置し、各覆蓋の側縁部を桁材上面の受枠部材によって受け止めていた。
【０００３】
ここで、従来の覆蓋の取付装置では、各桁材の上面に受枠部材を桁材の長手方向に沿って取り付けるには、つぎの２つの方法により行なわれていた。すなわち、まず第１の方法は、桁材を構成するＩ形鋼の上部フランジ部に所定間隔おきにボルト挿通孔をあける孔明け加工を施すとともに、これに対応して、受枠部材側にもボルト挿通孔を所定間隔おきにあける孔明け加工を施し、各桁材の上部フランジ部の上面に受枠部材を載せ、上部フランジ部側のボルト挿通孔と受枠部材側のボルト挿通孔との位置あわせをして、これらの挿通孔にボルトを上部フランジ部の下から挿通し、上部フランジ部の上面より上方に突出したボルトの先端部にナットをねじ被せることにより、桁材の上部フランジ部の上面に受枠部材を固定していた。つぎに、第２の方法は、桁材を構成するＩ形鋼の上部フランジ部に、ボルトをこれの頭部を下側にして立上がり状に配置するとともに、ボルト頭部を上部フランジ部に接合する溶接作業を施し、これに対応して、受枠部材側にボルト挿通孔を所定間隔おきにあける孔明け加工を施しておき、各桁材の上部フランジ部の上面に受枠部材を載せて、受枠部材側のボルト挿通孔にボルト軸部を挿通し、受枠部材より上方に突出したボルト軸部にナットをねじ被せることにより、桁材の上部フランジ部の上面に受枠部材を固定していた。
【発明の開示】
【発明が解決しようとする課題】
【０００４】
しかしながら、上記従来の覆蓋の取付方法において、桁材の上部フランジ部の上面に受枠部材を固定する第１方法では、桁材と受枠部材の双方に孔明け加工が必要となり、それらの材料精度及び加工精度により、現場での受枠部材の取り付けが困難になる場合があるという問題があった。また、桁材の上部フランジ部に受枠部材をボルト・ナットで固定する場合に、桁材の上部フランジ部の上下両側で作業を行なわなければならず、受枠部材の固定作業が容易でないし、また万が一、受枠部材固定ボルトの締付けが緩んだ場合には、覆蓋を取り外して、桁材の上部フランジ部の上下両側からボルト・ナットを締め直して、受枠部材を桁材に再度固定する必要があり、安全上好ましくないという問題があった。
【０００５】
また、従来の覆蓋の取付方法において、桁材の上部フランジ部の上面に受枠部材を固定する第２方法では、桁材の上部フランジ部にボルト頭部を接合する溶接作業と、受枠部材側にボルト挿通孔をあける孔明け加工とが必要となり、それらの材料精度、溶接精度、及び孔明け加工精度により、現場での受枠部材の取り付けが困難になる場合があるという問題があった。またとくに、上部フランジ部の上面に、ボルト頭部を所定間隔おきに溶接により接合する作業は、非常に面倒で手間がかゝるという問題があった。また万が一、受枠部材固定ボルトの締付けが緩んだ場合には、桁材の上部フランジ部上面に頭部が生産された垂直なボルトに対してナットを締め直す際、覆蓋が邪魔になるので、この覆蓋を取り外して、ナットの締付け作業を行なう必要があり、安全上好ましくないという問題があった。
【０００６】
本発明の目的は、上記の従来技術の問題を解決し、材料精度、及び加工精度が高くなくても、桁材の上部フランジ部に受枠部材を取り付ける現場での作業を簡便に行なうことができ、かつ安全な姿勢で、桁材の上部フランジ部に受枠部材をボルト・ナット等の締付部材で固定することができ、しかも従来の桁材の上部フランジ部に対する孔明け加工やボルト頭部の溶接作業を必要とせず、施工性に優れているうえに、メンテナンスが容易である、処理槽における覆蓋の取付装置を提供しようとすることにある。
【課題を解決するための手段】
【０００７】
上記の目的を達成するために、本発明の請求項１記載の処理槽における覆蓋の取付装置の発明は、処理槽の開口部に所要数の覆蓋支持用桁材が渡し止められ、桁材の上部フランジ部に左右一対の受枠部材が桁材の長手方向に沿って載置され、右側受枠部材は連結用垂直壁部とこれの下縁より右方に張り出した水平壁部とによって横断面略Ｌ形を有し、左側受枠部材はこれとは略対称的で連結用垂直壁部とこれの下縁より左方に張り出した水平壁部とによって横断面略反Ｌ形を有しており、桁材の上部フランジ部に、左右一対の受枠部材が相互に連結用垂直壁部同士を対向させた状態に桁材の長手方向に沿って載置されるとともに、右側受枠部材の右方張出水平壁部の外側縁部に設けられた右側係合部が桁材の上部フランジ部の右側縁部と係り合わせられ、かつ左側受枠部材の左方張出水平壁部外側縁部に設けられた左側係合部が桁材の上部フランジ部の左側縁部と係り合わせられ、この状態で、左右受枠部材の連結用垂直壁部同士が締結部材によって連結せられており、処理槽の開口部を覆う覆蓋の左右両側縁部が左右受枠部材を介して桁材に支持されていることを特徴としている。
【０００８】
本発明の請求項２記載の発明は、上記請求項１記載の処理槽における覆蓋の取付装置であって、左右受枠部材の連結用垂直壁部のうちのいずれか一方の垂直壁部の上端部に、他方の垂直壁部側に張り出した張出壁部が設けられ、該張出壁部の先端部が他方の垂直壁部の上端部に被せられていることを特徴としている。
【０００９】
本発明の請求項３記載の発明は、上記請求項１記載の処理槽における覆蓋の取付装置であって、左右受枠部材の互いに対向する連結用垂直壁部に横断面略逆Ｕ形の内部カバー部材が被せられ、連結用垂直壁部と内部カバー部材の左右垂下壁部とが締結部材により一体に結合されていることを特徴としている。
【００１０】
本発明の請求項４記載の発明は、上記請求項３記載の処理槽における覆蓋の取付装置であって、内部カバー部材に、さらに外部カバー部材が被せられ、外部カバー部材によって左右受枠部材の連結用垂直壁部と内部カバー部材と締結部材とが覆われていることを特徴としている。
【００１１】
本発明の請求項５記載の発明は、処理槽の開口部に所要数の覆蓋支持用桁材が渡し止められ、桁材の上部フランジ部に左右一対の受枠部材が桁材の長手方向に沿って載置され、右側受枠部材は連結用垂直壁部とこれの下縁より右方に張り出した水平壁部とによって横断面略Ｌ形を有し、左側受枠部材はこれとは略対称的で連結用垂直壁部とこれの下縁より左方に張り出した水平壁部とによって横断面略反Ｌ形を有しており、左右受枠部材の連結用垂直壁部のうちのいずれか一方の垂直壁部の上部に、他方の垂直壁部側に張り出しかつ該垂直壁部の長手方向に伸びる横断面略半円形の第１係合部が設けられ、他方の垂直壁部の外側面に係合用外方凸状が該垂直壁部の長手方向に伸びるように設けられ、左右受枠部材の連結用垂直壁部の上端部に被せ止められる連結部材が、上部水平壁部と、上部水平壁部の一側縁部より下方に伸びかつ内側面に係合用内方凸状を有する垂下壁部と、上部水平壁部の他側縁寄り部分より下方に伸びかつ下半部に上記横断面略半円形の第１係合部の案内面に沿う横断面略円弧状の第２係合部を有する下向き係合壁部とを備えており、桁材の上部フランジ部に、左右一対の受枠部材が相互に連結用垂直壁部同士を対向させた状態に桁材の長手方向に沿って載置されるとともに、右側受枠部材の右方張出水平壁部の外側縁部に設けられた右側係合部が桁材の上部フランジ部の右側縁部と係り合わせられ、かつ左側受枠部材の左方張出水平壁部外側縁部に設けられた左側係合部が桁材の上部フランジ部の左側縁部と係り合わせられ、この状態で、左右受枠部材の連結用垂直壁部に連結部材が嵌め被せられて、連結部材の下向き係合壁部先端部の横断面略円弧状の第２係合部が、一方の受枠部材の連結用垂直壁部の横断面略半円形の第１係合部に係り合わせられるとともに、連結部材の垂下壁部の係合用内方凸状が、他方の受枠部材の垂直壁部外側面の係合用外方凸状に係り合わせられて、左右受枠部材の連結用垂直壁部同士が連結部材を介して相互に連結されていることを特徴としている。
【００１２】
本発明の請求項６記載の発明は、上記請求項５記載の処理槽における覆蓋の取付装置であって、一方の受枠部材の連結用垂直壁部の高さの略中央部に、横断面略半円形の第１係合部に下側より対向する横断面略円弧状の外れ防止用壁部が設けられ、この外れ防止用壁部と第１係合部との間に形成された凹部に連結部材の下向き係合壁部先端部の横断面略円弧状の第２係合部が嵌め入れられて、第２係合部が第１係合部に係り合わせられていることを特徴としている。
【発明の効果】
【００１３】
本発明の請求項１記載の処理槽における覆蓋の取付装置の発明は、上述のように、処理槽の開口部に所要数の覆蓋支持用桁材が渡し止められ、桁材の上部フランジ部に左右一対の受枠部材が桁材の長手方向に沿って載置され、右側受枠部材は連結用垂直壁部とこれの下縁より右方に張り出した水平壁部とによって横断面略Ｌ形を有し、左側受枠部材はこれとは略対称的で連結用垂直壁部とこれの下縁より左方に張り出した水平壁部とによって横断面略反Ｌ形を有しており、桁材の上部フランジ部に、左右一対の受枠部材が相互に連結用垂直壁部同士を対向させた状態に桁材の長手方向に沿って載置されるとともに、右側受枠部材の右方張出水平壁部の外側縁部に設けられた右側係合部が桁材の上部フランジ部の右側縁部と係り合わせられ、かつ左側受枠部材の左方張出水平壁部外側縁部に設けられた左側係合部が桁材の上部フランジ部の左側縁部と係り合わせられ、この状態で、左右受枠部材の連結用垂直壁部同士が締結部材によって連結せられており、処理槽の開口部を覆う覆蓋の左右両側縁部が左右受枠部材を介して桁材に支持されていることを特徴とするもので、本発明の処理槽における覆蓋の取付装置によれば、左右受枠部材の連結用垂直壁部に対するボルト挿通孔の孔明け加工は、左右受枠部材の生産直後の工場において行なうことができるし、仮に、左右受枠部材の材料精度、及び加工精度が高くなくても、処理槽の開口部に覆蓋を取り付ける現場において簡単な修正の孔明け加工を行なうことにより、桁材の上部フランジ部への左右受枠部材の取付作業を簡便に行なうことができ、しかも受枠部材の取付作業は、処理槽の開口部に渡された桁材の上から、安全な姿勢で行なうことができる。そのうえ、従来の桁材の上部フランジ部に対する孔明け加工やボルト頭部の溶接作業を必要とせず、施工性に優れている。また万が一、受枠部材固定ボルトの締付けが緩んだ場合には、ボルト軸部が、左右受枠部材の互いに対向する連結用垂直壁部の所定間隔おきにかつ互いに対応するボルト挿通孔に水平状態に挿通されているから、連結ボルトの頭部及びナットをスパナ等の工具によって垂直方向に回転させて再度締め付けることができ、このため、従来のように、覆蓋を取り外して、桁材の上部フランジ部の上下両側からボルト・ナットを締め直す必要がなく、従って、非常にメンテナンスが容易であるという効果を奏する。
【００１４】
本発明の請求項２記載の発明は、上述のように、上記請求項１記載の処理槽における覆蓋の取付装置であって、左右受枠部材の連結用垂直壁部のうちのいずれか一方の垂直壁部の上端部に、他方の垂直壁部側に張り出した張出壁部が設けられ、該張出壁部の先端部が他方の垂直壁部の上端部に被せられていることを特徴とするもので、本発明の処理槽における覆蓋の取付装置によれば、左右連結用垂直壁部同士の間の間隙が、張出壁部によって塞がれ、これによって、これらの間隙から雨水や塵、ほこりなどの異物が処理槽内に侵入するのを防止することができるという効果を奏する。
【００１５】
本発明の請求項３記載の発明は、上述のように、上記請求項１記載の処理槽における覆蓋の取付装置であって、左右受枠部材の互いに対向する連結用垂直壁部に横断面略逆Ｕ形の内部カバー部材が被せられ、連結用垂直壁部と内部カバー部材の左右垂下壁部とが締結部材により一体に結合されていることを特徴とするもので、本発明の処理槽における覆蓋の取付装置によれば、左右受枠部材の互いに対向する連結用垂直壁部同士の間の間隙が、横断面略逆Ｕ形の内部カバー部材によって塞がれ、これによって、これらの間隙から雨水や塵、ほこりなどの異物が処理槽内に侵入するのを防止することができるという効果を奏する。
【００１６】
本発明の請求項４記載の発明は、上記請求項１記載の処理槽における覆蓋の取付装置であって、内部カバー部材に、さらに外部カバー部材が被せられ、外部カバー部材によって左右受枠部材の連結用垂直壁部と内部カバー部材と締結部材とが覆われていることを特徴とするもので、本発明の処理槽における覆蓋の取付装置によれば、左右受枠部材の互いに対向する連結用垂直壁部同士の間の間隙が、横断面略逆Ｕ形の内部カバー部材及び外部カバー部材の両方によって塞がれ、これによって、これらの間隙から雨水や塵、ほこりなどの異物が処理槽内に侵入するのを、より一層防止することができるという効果を奏する。
【００１７】
本発明の請求項５記載の発明は、上述のように、処理槽の開口部に所要数の覆蓋支持用桁材が渡し止められ、桁材の上部フランジ部に左右一対の受枠部材が桁材の長手方向に沿って載置され、右側受枠部材は連結用垂直壁部とこれの下縁より右方に張り出した水平壁部とによって横断面略Ｌ形を有し、左側受枠部材はこれとは略対称的で連結用垂直壁部とこれの下縁より左方に張り出した水平壁部とによって横断面略反Ｌ形を有しており、左右受枠部材の連結用垂直壁部のうちのいずれか一方の垂直壁部の上部に、他方の垂直壁部側に張り出しかつ該垂直壁部の長手方向に伸びる横断面略半円形の第１係合部が設けられ、他方の垂直壁部の外側面に係合用外方凸状が該垂直壁部の長手方向に伸びるように設けられ、左右受枠部材の連結用垂直壁部の上端部に被せ止められる連結部材が、上部水平壁部と、上部水平壁部の一側縁部より下方に伸びかつ内側面に係合用内方凸状を有する垂下壁部と、上部水平壁部の他側縁寄り部分より下方に伸びかつ下半部に上記横断面略半円形の第１係合部の案内面に沿う横断面略円弧状の第２係合部を有する下向き係合壁部とを備えており、桁材の上部フランジ部に、左右一対の受枠部材が相互に連結用垂直壁部同士を対向させた状態に桁材の長手方向に沿って載置されるとともに、右側受枠部材の右方張出水平壁部の外側縁部に設けられた右側係合部が桁材の上部フランジ部の右側縁部と係り合わせられ、かつ左側受枠部材の左方張出水平壁部外側縁部に設けられた左側係合部が桁材の上部フランジ部の左側縁部と係り合わせられ、この状態で、左右受枠部材の連結用垂直壁部に連結部材が嵌め被せられて、連結部材の下向き係合壁部先端部の横断面略円弧状の第２係合部が、一方の受枠部材の連結用垂直壁部の横断面略半円形の第１係合部に係り合わせられるとともに、連結部材の垂下壁部の係合用内方凸状が、他方の受枠部材の垂直壁部外側面の係合用外方凸状に係り合わせられて、左右受枠部材の連結用垂直壁部同士が連結部材を介して相互に連結されていることを特徴とするもので、本発明の処理槽における覆蓋の取付装置によれば、桁材の上部フランジ部の上面に載置された左右受枠部材の連結用垂直壁部同士を、連結部材によりスムーズにワンタッチで結合することができ、左右受枠部材の互いに対向する連結用垂直壁部にボルト挿通孔をあける孔明け加工を全く必要とせず、かつボルト・ナットを用いることなく、処理槽の開口部に渡された桁材の上部フランジ部への左右受枠部材の取付作業を簡便に行なうことができる。また、材料の仕上がり精度が高くなくても、桁材の上部フランジ部の上面に左右受枠部材を取り付ける現場での作業を簡便に行なうことができうえに、左右受枠部材の連結作業は、処理槽の開口部に渡された桁材の上から、安全な姿勢で行なうことができ、さらに、従来の桁材の上部フランジ部に対する孔明け加工やボルト頭部の溶接作業を必要としないため、施工性に優れている。また、左右受枠部材の連結用垂直壁部同士が、連結部材により結合されているため、これらの結合が緩むといった心配が全くなくメンテナンスが容易であるという効果を奏する。
【００１８】
本発明の請求項６記載の発明は、上述のように上記請求項５記載の処理槽における覆蓋の取付装置であって、一方の受枠部材の連結用垂直壁部の高さの略中央部に、横断面略半円形の第１係合部に下側より対向する横断面略円弧状の外れ防止用壁部が設けられ、この外れ防止用壁部と第１係合部との間に形成された凹部に連結部材の下向き係合壁部先端部の横断面略円弧状の第２係合部が嵌め入れられて、第２係合部が第１係合部に係り合わせられていることを特徴とするもので、本発明の処理槽における覆蓋の取付装置によれば、桁材の上部フランジ部の上面に載置された左右受枠部材の連結用垂直壁部同士を、連結部材によって非常に簡便に結合することができ、施工性に優れているという効果を奏する。
【発明を実施するための最良の形態】
【００１９】
つぎに、本発明の実施の形態を、図面を参照して説明する。
【００２０】
本発明の第１実施形態を示す図１を参照すると、下水及び上水処理施設またはそれに類する水処理施設の例えば大型の処理槽（図示略）の槽開口部に、Ｉ形鋼、ないしは横向きにしたＨ形鋼よりなる横断面略Ｉ形の所要数の覆蓋支持用桁材(1) が渡し止められている。
【００２１】
各桁材(1) は、上部フランジ部(2) と、下部上部フランジ部(3) と、両者を連結する垂直部(4) とによって横断面略Ｉ形を有している。各桁材(1) の上部フランジ部(2) には、アルミニウム押出形材製の左右一対の受枠部材(11)(21)が桁材(1) の長手方向に沿って載置されて固定され、処理槽の開口部を覆う覆蓋(10)の左右両側縁部が左右受枠部材(11)(21)を介して桁材(1) に支持されている。
【００２２】
左右受枠部材(11)(21)のうちの右側受枠部材(21)は、連結用垂直壁部(22)とこれの下縁より右方に張り出した水平壁部(23)とによって横断面略Ｌ形を有している。一方、左側受枠部材(11)は、これとは略対称的で連結用垂直壁部(12)とこれの下縁より左方に張り出した水平壁部(13)とによって横断面略反Ｌ形を有している。
【００２３】
そして、右側受枠部材(21)の右方張出水平壁部(23)の外側縁部に、垂下壁部(24)が設けられ、この垂下壁部(24)の下端部に桁材(1) の上部フランジ部(2) の右側縁部(2b)と係り合う右側係合部(25)が設けられているとともに、左側受枠部材(11)の左方張出水平壁部(13)の外側縁部に、垂下壁部(14)が設けられ、この垂下壁部(14)の下端部に桁材(1) の上部フランジ部(2) の左側縁部(2a)と係り合う左側係合部(15)が設けられている。
【００２４】
左右受枠部材(11)(21)が互いに対向する連結用垂直壁部(12)(22)に、多数のボルト挿通孔（図示略）が所定間隔おきにかつ互いに対応するように設けられている。左右受枠部材(11)(21)の左方張出水平壁部(13)及び右方張出水平壁部(23)の上面には、覆蓋(10)の側縁部を直接受けるパッキン(7)(7)が両受枠部材(11)(21)の長手方向に取り付けられている。
【００２５】
そして、この第１実施形態では、右側受枠部材(21)の連結用垂直壁部(22)の上端部に、他方の左側受枠部材(11)の連結用垂直壁部(12)側に張り出した張出壁部(22a) が設けられている。
【００２６】
各桁材(1) の上部フランジ部(2) に左右一対の受枠部材(11)(21)を取り付けるには、例えば、まず図２に示すように、左右受枠部材(11)(21)同士を互いに対向するように配置するとともに、これらの連結用垂直壁部(12)(22)にあけられた互いに対応するボルト挿通孔同士に、ボルト(5) を水平状態に挿通するとともに、ボルト(5) の先端部にナット(6) を緩く嵌め被せて、左右受枠部材(11)(21)同士を互いに連結しておく。この仮連結の状態では、左右受枠部材(11)(21)の左方張出水平壁部(13)及び右方張出水平壁部(23)の外側縁部の左右係合部(15)(25)同士の間の間隔が、桁材(1) の上部フランジ部(2) の幅よりも広いものとなされており、同図に示すように、桁材(1) の上部フランジ部(2) の上面に左右受枠部材(11)(21)を載せると、左右受枠部材(11)(21)が、相互に連結用垂直壁部(12)(22)同士を対向させた状態に桁材(1) の長手方向に載置されるとともに、左右受枠部材(11)(21)の左右方張出水平壁部(13)(23)の外側縁部の左右係合部(15)(25)が、桁材(1) の上部フランジ部(2) の両外側縁を通過して、該上部フランジ部(2) の下側に位置する。この状態で、左右受枠部材(11)(21)の連結用垂直壁部(12)(22)に仮止めされているボルト(5) およびナット(6) を締め付けると、左右受枠部材(11)(21)の連結用垂直壁部(12)(22)同士の間隔が狭まるとともに、右側受枠部材(21)の右方張出水平壁部(23)先端の右側係合部(25)が桁材(1) の上部フランジ部(2) の右側縁部(2b)に係り合わせられ、左側受枠部材(11)1)の左方張出水平壁部(13)先端の左側係合部(15)が桁材(1) の上部フランジ部(2) の左側縁部(2a)と係り合わせられて、左右受枠部材(11)(21)の連結用垂直壁部(12)(22)同士が多数のボルト(5) 及びナット(6) によって相互に連結されるものである。
【００２７】
またこのとき、右側受枠部材(21)の連結用垂直壁部(22)上端部の張出壁部(22a) の先端部が、他方の左側受枠部材(11)の連結用垂直壁部(12)の上端部に被せられて、左右連結用垂直壁部(12)(22)同士の間の間隙が張出壁部(22a) によって塞がれ、これによって、これらの間隙から雨水や塵、ほこりなどの異物が処理槽内に侵入するのを防止することができるものである。
【００２８】
こうして、各桁材(1) の上部フランジ部(2) に左右受枠部材(11)(21)が桁材(1) の長手方向に沿って載置されて固定された後、覆蓋(10)を、上部フランジ部(2) の左側受枠部材(11)及び右側受枠部材(21)に渡して、該覆蓋(10)の左右両側縁部が左右受枠部材(11)(21)の左右方張出水平壁部(13)(23)に支持されるようにし、処理槽の開口部の全体を所要数の覆蓋(10)によって覆うものである。
【００２９】
従って、本発明の第１実施形態によれば、アルミニウム押出形材製の左右受枠部材(11)(21)が互いに対向する連結用垂直壁部(12)(22)に、多数のボルト挿通孔を所定間隔おきにかつ互いに対応するように設ける孔明け加工は、左右受枠部材(11)(21)の生産直後の工場において行なうことができるし、仮に、左右受枠部材(11)(21)の材料精度、及び加工精度が高くなくても、処理槽の開口部に覆蓋(10)を取り付ける際、現場において簡単な修正の孔明け加工を行なうことにより、処理槽の開口部に渡された桁材(1) の上部フランジ部(2) への左右受枠部材(11)(21)の取付作業を簡便に行なうことができ、しかも受枠部材(11)(21)の取付作業は、処理槽の開口部に渡された桁材(1) の上から、安全な姿勢で行なうことができるものである。そのうえ、従来の桁材の上部フランジ部に対する孔明け加工やボルト頭部の溶接作業を必要とせず、施工性に優れているものである。
【００３０】
なお、万が一、左右受枠部材(11)(21)の連結ボルト(5) 及びナット(6) の締付けが緩んだ場合には、連結ボルト(5) の軸部が、左右受枠部材(11)(21)の互いに対向する連結用垂直壁部(12)(22)の所定間隔おきにかつ互いに対応するボルト挿通孔に水平状態に挿通されているから、連結ボルト(5) の頭部及びナット(6) をスパナ等の工具によって垂直方向に回転させて再度締め付けることができ、このため、従来のように、覆蓋を取り外して、桁材の上部フランジ部の上下両側からボルト・ナットを締め直す必要がなく、従って、非常にメンテナンスが容易であり、かつ安全性が高いものである。
【００３１】
つぎに、図３は、上記本発明の第１実施形態の変形例を示すものである。ここで、上記第１実施形態の場合と異なる点は、桁材(1) の上部フランジ部(2) の上面に載置された左右受枠部材(11)(21)の互いに対向する連結用垂直壁部(12)(22)が、第１実施形態の場合より低い高さを有していて、アルミニウム押出形材製の左右受枠部材(11)(21)が互いに対称形で、同一断面形状を有している点、これらの連結用垂直壁部(12)(22)に横断面略逆Ｕ形のアルミニウム合金製の内部カバー部材(30)が被せられていて、連結用垂直壁部(12)(22)とこれらの両外側の内部カバー部材(30)の左右垂下壁部(31)(32)とが、これらすべてを貫通する所要数のボルト(5) 及びこれらにねじ合わせられたナット(6) により一体に結合されている点にある。
【００３２】
従って、この変形例によれば、左右受枠部材(11)(21)の互いに対向する連結用垂直壁部(12)(22)の同士の間の間隙が、横断面略逆Ｕ形の内部カバー部材(30)によって塞がれ、これによって、これらの間隙から雨水や塵、ほこりなどの異物が処理槽内に侵入するのを防止することができるものである。
【００３３】
さらに、内部カバー部材(30)には、これより幅広の横断面略逆Ｕ形のアルミニウム合金製の外部カバー部材(34)が被せられている。外部カバー部材(34)は、上記内部カバー部材(30)の取り付け後に、外部カバー部材(34)の上壁(37)の略中央部の下面が内部カバー部材(30)の上面にピン、ボルト、及びリベット等の締結部材により結合されることにより取り付けられており、外部カバー部材(34)によって、左右受枠部材(11)(21)の連結用垂直壁部(12)(22)と内部カバー部材(30)とボルト(5) 及びナット(6) とが覆われている。従って、粉の変形例によれば、左右受枠部材(11)(21)の互いに対向する連結用垂直壁部(12)(22)の同士の間の間隙が、横断面略逆Ｕ形の内部カバー部材(30)及び横断面略逆Ｕ形の外部カバー部材(34)の両方によって塞がれ、これによって、これらの間隙から雨水や塵、ほこりなどの異物が処理槽内に侵入するのを、より一層防止することができるものである。
【００３４】
また、外部カバー部材(34)の左及び右垂下壁部(35)(36)は、処理槽の開口部を覆いかつ隣り合う覆蓋(10)(10)の右及び左側縁部に近接して配されていて、隣り合う覆蓋(10)(10)の左右両側縁部同士の間の間隙が外部カバー部材(34)によって塞がれているものである。従って、覆蓋(10)によって開口部が塞がれた処理槽の外観が非常に優れているとともに、覆蓋(10)(10)同士の間の間隙から雨水や塵、ほこりなどの異物が処理槽内に侵入するのを防止することができ、さらに取付施工後の処理槽開口部の覆蓋(10)の上面が全体としてフラットになるため、この上面を例えば作業員が歩行することも可能である。
【００３５】
本発明のこのような第１実施形態の変形例によれば、アルミニウム押出形材製の左右受枠部材(11)(21)が互いに対称形で、同一断面形状を有しているため、左右受枠部材(11)(21)の製造を容易かつ安価に行なうことができ、ひいては処理槽における覆蓋取付装置の製作コストを大幅に低減することができるものである。
【００３６】
なお、本発明の上記の第１実施形態及び変形例では、左右受枠部材(11)(21)の互いに対向する連結用垂直壁部(12)(22)が、連結ボルト(5) 及びナット(6) により結合されているが、これらはその他のリベット等の締結部材により、結合されていても、勿論、良い。
【００３７】
つぎに、図４と図５は、本発明の第２実施形態を示すものである。ここで、上記第１実施形態の場合と異なる点は、桁材(1) の上部フランジ部(2) の上面に桁材(1) の長手方向に沿って載置された左右受枠部材(11)(21)が、ボルト・ナットではなく、連結部材(40)により結合されている点にある。
【００３８】
すなわち、この第２実施形態において、左右受枠部材(11)(21)はアルミニウム押出形材製であり、連結部材(40)もまたアルミニウム押出形材製である。これらのうち、右側受枠部材(21)は連結用垂直壁部(22)とこれの下縁より右方に張り出した水平壁部(23)とによって横断面略Ｌ形を有し、左側受枠部材(11)はこれとは略対称的で連結用垂直壁部(12)とこれの下縁より左方に張り出した水平壁部(13)とによって横断面略反Ｌ形を有している。そして、右側受枠部材(21)の右方張出水平壁部(23)の外側縁部に桁材(1) の上部フランジ部(2) の右側縁部(2b)と係り合う右側係合部(25)が設けられているとともに、左側受枠部材(11)の左方張出水平壁部(13)の外側縁部に桁材(1) の上部フランジ部(2) の左側縁部(2a)と係り合う左側係合部(15)が設けられている。
【００３９】
右側受枠部材(21)の連結用垂直壁部(22)の上部に、他方の連結用垂直壁部(12)側に張り出しかつ受枠部材(21)の長手方向に伸びる横断面略半円形の第１係合部(26)が設けられ、第１係合部(26)の内面側に横断面略半円形の案内面(27)が形成せられている。そして、この第２実施形態では、右側受枠部材(21)の連結用垂直壁部(22)の高さの略中央部に、横断面略半円形の第１係合部(26)の下半部に下側より対向する横断面略円弧状の外れ防止用壁部(28)が設けられ、この外れ防止用壁部(28)と第１係合部(26)の下半部との間に凹部(29)が形成されている。
【００４０】
また、他方の左側受枠部材(11)の連結用垂直壁部(12)の外側面に、３つの係合用外方凸状(16)が上下方向に所定間隔をおいてかつ該垂直壁部(12)の長手方向に伸びるように設けられている。
【００４１】
さらに、連結部材(40)は、左右受枠部材(11)(21)の連結用垂直壁部(12)(22)の上端部に被せ止められる上部水平壁部(41)と、上部水平壁部(41)の左側縁部より下方に伸びかつ内側面に上下方向に所定間隔をおいて３つの係合用内方凸状(44)を有する垂下壁部(42)と、上部水平壁部(41)の右側縁寄り部分より下方に伸びかつ下半部に上記横断面略半円形の第１係合部(26)の案内面(27)に沿う横断面略円弧状の第２係合部(43a) を有する下向き係合壁部(43)とを備えている。
【００４２】
各桁材(1) の上部フランジ部(2) に左右一対の受枠部材(11)(21)を取り付けるには、桁材(1) の上部フランジ部(2) の上面に左右一対の受枠部材(11)(21)が、相互に連結用垂直壁部(12)(22)同士を対向させた状態に桁材(1) の長手方向に沿って載置されるとともに、右側受枠部材(21)の右方張出水平壁部(23)先端の右側係合部(25)が桁材(1) の上部フランジ部(2) の右側縁部(2b)に係り合わせられ、かつ左側受枠部材(11)の左方張出水平壁部(13)先端の左側係合部(15)が桁材(1) の上部フランジ部(2) の左側縁部(2a)と係り合わせられている。
【００４３】
つぎに、この状態で、左右受枠部材(11)(21)の連結用垂直壁部(12)(22)に連結部材(40)が嵌め被せられて、図４と図５に２点鎖線示すように、連結部材(40)の下向き係合壁部(43)先端部の横断面略円弧状の第２係合部(43a) が、右側受枠部材(21)の連結用垂直壁部(22)の横断面略半円形の第１係合部(26)の下半部と、外れ防止用壁部(28)の下半部との間に形成された凹部(29)に差し込まれて、連結部材(40)が反時計回りの方向に回動せしめられることにより、連結部材(40)の下向き係合壁部(43)先端部の横断面略円弧状の第２係合部(43a) が、第１係合部(26)の内面側の横断面略半円形の案内面(27)に沿うように摺動して、該第２係合部(43a) が第１係合部(26)にに係り合わせられるとともに、連結部材(40)の垂下壁部(42)の係合用内方凸状(44)が、左側受枠部材(11)の垂直壁部(12)外側面の係合用外方凸状(16)に係り合わせられて、左右受枠部材(11)(21)の連結用垂直壁部(12)(22)同士が連結部材(40)を介して相互に連結されているものである。
【００４４】
このように、本発明の第２実施形態では、桁材(1) の上部フランジ部(2) の上面に載置された左右受枠部材(11)(21)の互いに対向する連結用垂直壁部(12)(22)同士を、連結部材(40)によりスムーズにワンタッチで結合することができるもので、本発明の第２実施形態によれば、左右受枠部材(11)(21)の互いに対向する連結用垂直壁部(12)(22)にボルト挿通孔をあける孔明け加工を全く必要とせず、かつボルト・ナットを用いることなく、処理槽の開口部に渡された桁材(1) の上部フランジ部(2) への左右受枠部材(11)(21)の取付作業を簡便に行なうことができる。しかも左右受枠部材(11)(21)及び連結部材(40)がいずれもアルミニウム押出形材製であるから、材料の仕上がり精度が高くなくても、桁材(1) の上部フランジ部(2) の上面に左右受枠部材(11)(21)を取り付ける現場での作業を簡便に行なうことができうえに、左右受枠部材(11)(21)の連結作業は、処理槽の開口部に渡された桁材(1) の上から、安全な姿勢で行なうことができるものである。さらに、従来の桁材の上部フランジ部に対する孔明け加工やボルト頭部の溶接作業を必要としないため、施工性に優れている。
【００４５】
また、左右受枠部材(11)(21)の連結用垂直壁部(12)(22)同士が、連結部材(40)により結合されているため、これらの結合が緩むといった心配が全くないし、例え連結部材(40)の垂下壁部(42)の係合用内方凸状(44)と、左側受枠部材(11)の垂直壁部(12)外側面の係合用外方凸状(16)との係合が外れた場合にも、連結部材(40)を上から押さえるだけで、これら係合用内方凸状(44)と係合用外方凸状(16)とを再び係合させることができるし、連結部材(40)の下向き係合壁部(43)先端部の横断面略円弧状の第２係合部(43a) を、第１係合部(26)の内面側の横断面略半円形の案内面(27)に沿うように係り合わせることができて、非常にメンテナンスが容易であり、かつ安全性が高いものである。
【００４６】
処理槽における覆蓋の取付装置。
【図面の簡単な説明】
【００４７】
【図１】本発明の処理槽における覆蓋の取付装置の第１実施形態を示す部分省略横断面図である。
【図２】図１の部分横断面図で、桁材の上部フランジ部に左右受枠部材を取り付ける前の状態を示している。
【図３】図１の第１実施形態の変形例を示す部分部分横断面である。
【図４】本発明の処理槽における覆蓋の取付装置の第２実施形態を示す部分省略横断面図である。
【図５】図４の部分横断面図である。
【符号の説明】
【００４８】
１：覆蓋支持用桁材
２：上部フランジ部
２ａ：左側縁部
２ｂ：右側縁部
５：ボルト（締結部材）
６：ナット（締結部材）
１０：覆蓋
１１：横断面略Ｌ形の右側受枠部材
１２：連結用垂直壁部
１３：り左方張出水平壁部
１５：左側係合部
１６：係合用外方凸状
２１：横断面略反Ｌ形の左側受枠部材
２２：連結用垂直壁部
２２ａ：張出壁部
２３：右方張出水平壁部
２５：右側係合部
２６：横断面略半円形の第１係合部
２７：案内面
２８：横断面略円弧状の外れ防止用壁部
２９：凹部
３０：横断面略逆Ｕ形の内部カバー部材
３１：左右垂下壁部
３４：外部カバー部材
４０：連結部材
４１：上部水平壁部
４２：垂下壁部
４３：下向き係合壁部
４３ａ：横断面略円弧状の第２係合部
４４：係合用内方凸状
【図１】
2005112414.tif 000003
【図２】
2005112414.tif 000004
【図３】
2005112414.tif 000005
【図４】
2005112414.tif 000006
【図５】
2005112414.tif 000007